(57)【要約】【課題】床面に当接して押圧する弾性部材と弾性部材に押圧力を付加して固定する押圧付加手段を扉に備え、床面側のシールパッキンが取付けられた扉枠を無くして室内への出入りの際の障害を無くすとともに緊急時の対応具を備えた扉構造体の提供を目的とする。【解決手段】床面１７に対応して開放部が形成された扉枠７と、扉枠７に対して開閉可能に支持される扉６と、開放部以外の扉枠７の周囲に取り付けられたシールパッキン１０と、扉枠７に対して扉６を閉塞した状態で、扉６を扉枠７側に移動させるとともに扉６の周囲をシールパッキン１０に押圧する移動押圧手段と、扉６の下部に取り付けられた第１弾性部材１８と、第１弾性部材１８を扉枠７の開放部を介して床面１７に押圧する押圧付加手段２３とを備えた構成にした。【選択図】図２
0003180772.tif 000002
【実用新案登録請求の範囲】
【請求項１】
設置面に対応して開放部が形成された扉枠と
前記扉枠に対して開閉可能に支持される扉と、
前記開放部以外の扉枠の周囲に取り付けられたシールパッキンと、
前記扉枠に対して扉を閉塞した状態で、扉を扉枠側に移動させるとともに扉の周囲を前記シールパッキンに押圧する移動押圧手段と、
前記扉の下部に取り付けられた弾性部材と、
前記弾性部材を扉枠の開放部を介して設置面に押圧する押圧手段とを備えたことを特徴とする扉構造体。
【請求項２】
前記扉枠の設置面には、設置面と同一の高さとなる扉枠部材が埋め込まれていることを特徴とする請求項１に記載の扉構造体。
【請求項３】
前記扉の背面には、ドアスコープを備えた脱出用扉が開閉可能に支持されていることを特徴とする請求項１又は請求項２に記載の扉構造体。
【請求項４】
前記扉の背面には、前記脱出用扉に隣接して折畳可能な梯子が設けられていることを特徴とする請求項１乃至請求項３のいずれかに記載の扉構造体。
【請求項５】
前記扉の背面には、扉の正面側における水位を計測する水位計が取付けられていることを特徴とする請求項１乃至請求項４のいずれかに記載の扉構造体。
【考案の詳細な説明】
【技術分野】
【０００１】
本考案は、建物等の室内の防水性を備える扉構造体に関し、特に通常の使用状態と一段上の防水性を必要とする場合の使い分けができる扉構造体に関するものである。
【背景技術】
【０００２】
従来より、ビルやマンション等においては、洪水時に、通常使用している扉をそのまま使用し、更に、一段上の防水性を高める技術が要求されている。
そのために、扉枠の中で通常使用している扉を前後に移動してシールパッキンに加える圧力を変える構造が提案されている。
【０００３】
例えば、特許文献１には、防水扉を出入口部を備えた開口枠の竪枠に蝶番装置により揺動可能に枢着し、蝶番装置を、開口枠に装着されて上下方向のヒンジピンを保持するピン保持部材と、防水扉に装着されて閉鎖状態において内外方向に長いヒンジピン嵌合用の長孔を有する長孔形成部材と、長孔に嵌合するヒンジピンを閉鎖状態において防水扉が開口枠から遠くなる長孔の一端側に位置決めする位置決め手段で構成し、防水扉の枢着側竪縁部と自由端側竪縁部に夫々開口枠に設けた係合部材と係合して防水扉を開口枠側へ引寄せる引寄せハンドル装置を装着した技術が記載されている。
【先行技術文献】
【特許文献】
【０００４】
【特許文献１】特開２００８−３１７１０号公報
【考案の概要】
【考案が解決しようとする課題】
【０００５】
しかしながら、上記特許文献１の防水扉の構成によれば、出入口部を備えた開口枠が防水扉の上下左右の四方向にあり、特に床面にあるために人が室内に出入りする際に躓くという問題がある。
更に、台車や車椅子の室内への出入りには傾斜板等の踏み板をその都度設置しなければならないという問題もある。
【０００６】
本考案は上述の問題点を解消するためになされたものであり、扉枠の中で通常使用している扉を前後に移動して扉が扉枠に取付けられているシールパッキンに加える圧力を変える構造を維持し、扉が前方にある通常使用状態で扉がシールパッキンを押圧する第１押圧状態と、扉が後方にあって、扉が前後に移動した距離だけシールパッキンを押圧する第２押圧状態のときでも、床面に当接して押圧する弾性部材と弾性部材に押圧力を付加して固定する押圧付加手段を扉に備えることにより、床面側のシールパッキンが取付けられた扉枠を無くして室内への出入りの際の障害を無くすとともに緊急時の対応具を備えた扉構造体の提供を目的とする。
【課題を解決するための手段】
【０００７】
前記目的を達成するため、請求項１に係る扉構造体は、設置面に対応して開放部が形成された扉枠と、前記扉枠に対して開閉可能に支持される扉と、前記開放部以外の扉枠の周囲に取り付けられたシールパッキンと、前記扉枠に対して扉を閉塞した状態で、扉を扉枠側に移動させるとともに扉の周囲を前記シールパッキンに押圧する移動押圧手段と、前記扉の下部に取り付けられた弾性部材と、前記弾性部材を扉枠の開放部を介して設置面に押圧する押圧手段とを備えたことを特徴とする。
【０００８】
又、請求項２に係る扉構造体は、請求項１に記載の扉構造体において、前記扉枠の設置面には、設置面と同一の高さとなる扉枠部材が埋め込まれていることを特徴とする。
【０００９】
又、請求項３に係る扉構造体は、請求項１又は請求項２に記載の扉構造体において、前記扉の背面には、ドアスコープを備えた脱出用扉が開閉可能に支持されていることを特徴とする。
【００１０】
又、請求項４に係る扉構造体は、請求項１乃至請求項３のいずれかに記載の扉構造体において、前記扉の背面には、前記脱出用扉に隣接して折畳可能な梯子が設けられていることを特徴とする。
【００１１】
そして、請求項５に係る扉構造体は、請求項１乃至請求項４のいずれかに記載の扉構造体において、前記扉の背面には、扉の正面側における水位を計測する水位計が取付けられていることを特徴とする。
【考案の効果】
【００１２】
請求項１に係る扉構造体によれば、設置面に対応して開放部が形成された扉枠と、扉枠に対して開閉可能に支持される扉と、開放部以外の扉枠の周囲に取り付けられたシールパッキンと、扉枠に対して扉を閉塞した状態で、扉を扉枠側に移動させるとともに扉の周囲をシールパッキンに押圧する移動押圧手段と、扉の下部に取り付けられた弾性部材と、弾性部材を扉枠の開放部を介して設置面に押圧する押圧手段とを備えた構成になっている。
【００１３】
この構成によれば、防水のためのシールパッキンを取り付けた扉枠を設置面から無くすことができる。
そのため、防水のためのシールパッキンを取り付けた扉枠が設置面にあるために人が室内に出入りする際に躓くという問題を無くすことができる。
更に、台車や車椅子の室内への出入りには傾斜板等の踏み板をその都度設置しなければならないという問題も無くすことができる。
【００１４】
又、扉は扉枠の中で通常の使用状態から後方に移動するのであるが、扉の下部に取り付けられた弾性部材が扉と一緒に移動するので、通常に扉を閉めた時でも、又、移動押圧手段によって扉を扉枠の中に押圧した時でも、押圧手段によって弾性部材を扉枠の開放部を介して設置面に押圧するようにしているのでどちらも防水効果を損なうことなく防水することができる。
【００１５】
次に、請求項２に係る扉構造体によれば、扉枠の設置面には、設置面と同一の高さとなる扉枠部材が埋め込まれている。
これにより、設置面にタイル等の外装部材が張られることによって、表面に凹凸や隙間が発生することを予め予測できる場合には、扉枠の設置面に設置面と同一の高さとなる扉枠部材を埋め込んで設置面の代替をさせることにより、弾性部材と設置面の密着性を阻害する要因を取り除くことができる。
【００１６】
次に、請求項３に係る扉構造体によれば、扉の背面には、ドアスコープを備えた脱出用扉が開閉可能に支持されている。
これにより、扉の外側が浸水したり、土砂で埋まって扉が開かない状態のときに、ドアスコープで外側の状況を確認することができ、安全が確認できたら脱出用扉から外側に脱出することができる。
【００１７】
次に、請求項４に係る扉構造体によれば、扉の背面には、脱出用扉に隣接して折畳可能な梯子が設けられている。
脱出用扉は、扉の外側が浸水したり、土砂で埋まった場合を考慮して比較的扉の高い位に設けられている。
そのために、脱出用扉を使用する場合は踏台や梯子が必要になるが、そのときのために扉に梯子を備えておくことにより、緊急時に踏台や梯子を探す必要を無くし、問題なく脱出用扉から脱出することができる。
更に、梯子を折畳式にして梯子が占めるスペースを最小にすることにより、扉の開閉に支障をきたすことを無くすことができる。
又、梯子を開いたとき、梯子の側面の片側は扉に固定されており、もう片側は床に当接するようにしているので安定した使用状態にすることができる。
【００１８】
そして、請求項５に係る扉構造体によれば、扉の背面には、扉の正面側における水位を計測する水位計が取付けられている。
これにより、扉の外側が水没した場合、その水没の深さを知ることができるとともに前述の脱出扉からの脱出の目安にすることもできる。
【図面の簡単な説明】
【００１９】
【図１】本実施形態に係る防水扉を構成する扉構造体の構成を説明する正面図である。
【図２】防水扉を構成する扉構造体の構成を説明する裏面図である。
【図３】シールパッキンが取り付けられた位置を示す正面図である。
【図４】扉を扉枠の中に引き込む行程を説明する扉構造体の上面から見た部分断面透視図である。
【図５】扉を扉枠の中に引き込み第１弾性部材を床面に当接する行程を説明する扉構造体の側面から見た部分断面透視図である。
【図６】扉を扉枠の中に引き込むこと無しに第１弾性部材を床面に当接する行程を説明する扉構造体の側面から見た部分断面透視図である。
【図７】扉を扉枠の中から押し出す行程を説明する扉構造体の上面から見た部分断面透視図である。
【図８】第１弾性部材を床面から離し、扉を扉枠の中から押し出す行程を説明する扉構造体の側面から見た部分断面透視図である。
【図９】扉に取り付けられた脱出用扉の構成を説明する上面から見た部分断面透視図である。
【図１０】扉に取り付けられた避難梯子の構成を説明する側面から見た部分断面透視図である。
【考案を実施するための形態】
【００２０】
以下、本考案に係る通常の防水性を保持する通常の使用状態と、緊急的に一段上の防水性を必要としたときに、防水性を更にアップする機能を備えると共に緊急時の対応具を備えた扉構造体について、本考案を具体化した実施形態に基づき図面を参照しつつ説明する。
先ず、図１乃至図３に基づいて、本実施形態に係る扉構造体１の構成を説明する。
図１乃至図３に示すように、扉構造体１は、第１操作ハンドル２が取付けられた第１表面３及び第１操作ハンドル２と連動する第２操作ハンドル４が取付けられた第２表面５を有する扉６と、扉６を収納する扉枠７と、扉６と扉枠７を開閉可能に連結するヒンジ部材８と、扉６を扉枠７にヒンジ部材８を介して第１表面３側から収納した状態において、扉６の第２表面５と対向する扉枠７の位置に設けられた並行する２本の第１嵌合溝部９（図３のＡ−Ａ断面図からＣ−Ｃ断面図参照）と、この２本の第１嵌合溝部９に取り付けられると共に扉６の第２表面５に当接する２本のシールパッキン１０（図３のＡ−Ａ断面図からＣ−Ｃ断面図参照）と、左右の扉枠７に埋め込んで取付けられたガイド溝部材１１（図４、図５参照）と、扉６の第２表面５に取付けられると共に先端にガイド溝部材１１に挿入される第１作用部１２を設けて扉６を扉枠７内に押圧して固定するロックハンドル１３と、扉６のヒンジ部材８側の第２表面５に取付けられたロック解除傾斜部材１４と、ヒンジ部材８側の扉枠７に取付けられると共に先端にロック解除傾斜部材１４と当接して摺動する第２作用部１５を設けて扉６を扉枠７内から押出すロック解除ハンドル１６と、床面１７、扉６の下端及びシールパッキン１０と当接する第１弾性部材１８に押圧力を付加する押圧板１９、押圧板取付部２０、延伸押圧軸２１、足踏式ロックバー２２で構成される押圧付加手段２３とによって構成されている。
【００２１】
更に、図１、図２に基づいて、扉構造体１に附随する緊急時の対応具について説明する。
扉６には、扉中央より上部に脱出扉用ヒンジ部材２４を介して脱出用扉２５が取付けられている。
脱出用扉２５には、脱出扉用ハンドル２６が扉６の第２表面５側に取付けられ、脱出扉用ハンドル２６によって脱出扉用ヒンジ部材２４を介して扉６の第１表面３側に開くことができる。
脱出用扉２５を閉じてロックするには、脱出扉用ハンドル２６を扉６の第２表面５側に引き、脱出用扉２５の表面を扉６に取付けられている脱出扉用シールパッキン２７（図９参照）に当接させると共に、脱出扉用ハンドル２６の先端に設けられた第３作用部２８を扉６の第２表面５に取付けられたロック受け部材２９に当接し、ロック受け部材２９に設けられたロック受け傾斜部３０に第３作用部２８を摺動させることにより、脱出用扉２５を完全に閉じてロックすることができる。
【００２２】
又、扉６の第１表面３側の様子を確認するために脱出用扉２５にはドアスコープ３１が取付けられている。
これにより、外部の様子を確認することができるので脱出用扉２５の開扉操作を安全におこなうことができる。
【００２３】
又、脱出用扉２５の近傍には、脱出用扉２５を使用するときに使用する避難梯子３２が扉６の第２表面５に取付けられている。
使用しないときは、折り畳まれている。
【００２４】
又、扉６の第１表面３側が浸水したときに、浸水の量を知るための水位計３３が扉６の第２表面５に取付けられていると共に、扉６の第１表面３の下方に水位計取水口３４、上方に水位計排気口３６がパイプ形状で取付けられている。
クリーニングのために、取り外しはできるが扉６の第２表面５側の気密は保たれている。
【００２５】
次に、図４乃至図６に基づいて、扉構造体１の通常の防水性を保持する通常の使用状態と、緊急的に一段上の防水性を必要としたときに、防水性を更にアップする状態に切り替える機能について説明する。
ここで、図４（A）は、通常の第１操作ハンドル２又は第２操作ハンドル４による扉６の開閉動作で扉６が閉じられた状態における扉構造体１を上方から見た部分断面透視図、図４（B）は、図４（A）の状態からロックハンドル１３により扉６が扉枠７内に更に引き込まれた状態の扉構造体１を上方から見た部分断面透視図である。
又、図５（A）は、通常の第１操作ハンドル２又は第２操作ハンドル４による扉６の開閉動作で扉６が閉じられた状態における扉構造体１を側面から見た部分断面透視図、図５（B）は、図５（A）の状態からロックハンドル１３により扉６が扉枠７内に更に引き込まれた状態に加え、押圧付加手段２３が操作された状態の扉構造体１を側面から見た部分断面透視図である。
又、図６（A）は、通常の第１操作ハンドル２又は第２操作ハンドル４による扉６の開閉動作で扉６が閉じられた状態における扉構造体１を側面から見た部分断面透視図、図６（B）は、図６（A）の状態から押圧付加手段２３が操作された状態の扉構造体１を側面から見た部分断面透視図である。
【００２６】
先ず、図４乃至図６に基づいて、扉構造体１の構成を詳細に説明する。
扉構造体１を構成する扉枠７は、上方と左右のコ字状に設けられており、下方は開放された床面１７である。
これにより、人が室内に出入りする際に躓くという問題、又、台車や車椅子の室内への出入りには傾斜板等の踏み板をその都度設置しなければならないという問題を無くすことができる。
そして、この何も無い床面１７に対する防水方法を説明する。
【００２７】
図４乃至図６に示すように、左右の一方の扉枠７の上端及び下端の近傍には、２組のヒンジ部材８を構成する回動軸３５を設けた二つの第１ヒンジ３７がそれぞれ４本の第１ネジ３８によって固着されている。
この回動軸３５には、ボールベアリング３９がそれぞれ装着されている。
更に、扉６には、扉枠７に固着された二つの第１ヒンジ３７の回動軸３５と対応する位置に長円状の支持孔４０が設けられた二つの第２ヒンジ４１がそれぞれ６本の第２ネジ４２によって固着されている。
この長円状の支持孔４０には、扉６が通常の開閉操作を行なうための第１支持端部４３と、ロックハンドル１３の押圧によって扉６が移動して支持される第２支持端部４４が設けられている。
そして、扉６は、扉枠７に第１ネジ３８で固着された二つの第１ヒンジ３７の回動軸３５に装着されたボールベアリング３９に対し、扉６に第２ネジ４２で固着された二つの第２ヒンジ４１の長円状の支持孔４０が装着されることによって支持される。
このボールベアリング３９により、支持された扉６の通常の開閉操作をスムース行うことができる。
【００２８】
又、二つの第１ヒンジ３７の回動軸３５に装着されたボールベアリング３９に対し、二つの第２ヒンジ４１の長円状の支持孔４０が装着された状態のとき、第２ヒンジ４１に設けられた弾性部材装着孔４５に第２弾性部材４６が装着されており、第２弾性部材４６の一方の端部が押圧駒４７を介してボールベアリング３９を第１支持端部４３に当接するように第１支持端部４３方向に押圧し、他方の端部は第２ヒンジ４１に固着される２本の係止ピン４８によって係止されている。
【００２９】
又、扉６の第２表面５側の左右の端部には、第１作用部１２を備えるロックハンドル１３がそれぞれ４個ずつ配置され、それぞれ３本の第３ネジ４９によって固着されている。（図２参照）
更に、左右の扉枠７の側面には、それぞれのロックハンドル１３が備える第１作用部１２の対向する位置に第１作用部１２をガイドするガイド溝５０を備えたガイド溝部材１１が、それぞれ４本の第４ネジ５１によって固着されている。
そして、ガイド溝５０には、ロックハンドル１３の第１作用部１２を摺動させて、第１ヒンジ３７の回動軸３５に装着されたボールベアリング３９が、第２ヒンジ４１の長円状の支持孔４０の第１支持端部４３から第２支持端部４４に移動させるために必要な傾斜を備えた押圧ガイド傾斜部５２が設けられている。
【００３０】
一方、図５（Ａ）、（Ｂ）に示すように、扉６の第２表面の下端には、床面１７と当接する第１弾性部材１８に押圧力を付加する押圧板１９、押圧板取付部２０、延伸押圧軸２１、足踏式ロックバー２２で構成される押圧付加手段２３が装着されている。
第１弾性部材１８は、床面１７、扉６の下端及び扉枠７の第１嵌合溝部９に取り付けられたシールパッキン１０と当接して防水パッキンの役目をする。
第１弾性部材１８は筒形状をしており、長さは扉６の幅と同じ寸法に設定されている。
これにより、押圧付加手段２３によって第１弾性部材１８が押圧されたとき、床面１７との当接は当然であるが、床面１７との当接によって第１弾性部材１８が横に膨らむので、扉６の下端及び扉枠７の第１嵌合溝部９に取り付けられたシールパッキン１０とも強固に当接して防水性を確実にする。
第１弾性部材１８は、剛性を備える押圧板１９に取り付けられ、床面１７に対して均一に押圧されるようにしている。
押圧板１９は、押圧板取付部２０を介して延伸押圧軸２１に取り付けられる。
延伸押圧軸２１は、足踏式ロックバー２２を所定の位置から足踏みすると、足踏式ロックバー２２が支点５３を中心に回動し、延伸押圧軸２１の軸を押し出して床面１７、扉６の下端及び扉枠７の第１嵌合溝部９に取り付けられたシールパッキン１０と当接した第１弾性部材１８に所定の負荷をかけた状態で固定する役割を有する。
この状態から足踏式ロックバー２２を足踏みして足を外すと、床面１７と当接している第１弾性部材１８に所定の負荷をかけた状態での固定がはずれ、延伸押圧軸２１の軸が元に戻り、足踏式ロックバー２２が所定の位置に戻る。
【００３１】
ここで、このように構成された扉構造体１の扉６を通常の扉６として操作したときの動作を説明する。
図４（Ａ）、図５（Ａ）に示すように、二つの第１ヒンジ３７の回動軸３５に装着されたボールベアリング３９に対し、二つの第２ヒンジ４１の長円状の支持孔４０が装着された状態のとき、第２ヒンジ４１に設けられた弾性部材装着孔４５に第２弾性部材４６が装着されており、第２弾性部材４６の一方の端部が第２ヒンジ４１に固着される２本の係止ピン４８によって係止され、他方の端部が押圧駒４７を介してボールベアリング３９を第１支持端部４３に当接させて押圧している。
この状態が第１支持端部４３に当接されているボールベアリング３９の中で回動軸３５が回動して扉６の通常の開閉動作を行なうことができる状態である。
【００３２】
これにより、扉６を開く場合は、扉６の第１表面３に取り付けられた第１操作ハンドル２又は扉６の第２表面５に取り付けられた第２操作ハンドル４を回動操作することによって、ラッチ錠５４のラッチ５５をラッチ受け部５６から外して開扉する。
又、扉６を閉じる場合は、扉６の第１表面３に取り付けられた第１操作ハンドル２又は扉６の第２表面５に取り付けられた第２操作ハンドル４を操作して扉枠７に押し込むことにより、ラッチ錠５４のラッチ５５がラッチ受け部５６に自動的に挿入されて固定されることにより閉扉し閉塞された状態になる。
【００３３】
この状態から、図６（Ｂ）に示すように、足踏式ロックバー２２を所定の位置から足踏みすると足踏式ロックバー２２が支点５３を中心に回動し、延伸押圧軸２１の軸を押し出して床面１７と当接した第１弾性部材１８に所定の負荷をかけた状態で第１弾性部材１８を床面１７に固定するとともに第１弾性部材１８の側面を扉枠７の第１嵌合溝部９のシールパッキン１０と扉６の下端に当接させることができる。
ただし、この時には、ロックハンドル１３は操作しない。
この第１弾性部材１８の床面１７に対する固定と第１弾性部材１８の側面のシールパッキン１０、扉６の下端との当接、及び、閉塞された扉６が左右及び上部の扉枠７の第１嵌合溝部９のシールパッキン１０と当接してシールパッキン１０に押圧されている状態とにより、扉６は、通常の使用状態における防水機能を備える。
又、附随する機能として防音対策にもなる。
【００３４】
尚、床面にタイル等が貼られ、細かい凹凸や隙間が予め予測される場合は、図６に示すようにステンレス板等の一枚板で加工された床面用枠部材５７を扉枠７の下方に床面１７と同一面になるように埋め込むようにする。
これにより、第１弾性部材１８とステンレス板等の一枚板で加工された床面用枠部材５７との密着性を確保することができる。
【００３５】
更に、このように閉塞される通常使用の扉６を備えた扉構造体１には、室外が水没する虞がある場合に対して一段上の防水機能を備える。その操作方法と機能を説明する
先ず、図４（Ａ）、図５（Ａ）に示すように、閉塞状態にある扉６に対し、扉６の第２表面５側に取り付けられているロックハンドル１３の第１作用部１２を、左右の扉枠７の側面に取り付けられたガイド溝部材１１のガイド溝５０に設けられた押圧ガイド傾斜部５２にあわせ、図４（Ｂ）、図５（Ｂ）（まだ押圧付加手段２３は操作されていない）に示すように、押圧ガイド傾斜部５２の傾斜部に摺動させて押圧ガイド傾斜部５２の頂点に挿入する。
この操作を扉６の第２表面５側に取り付けられているロックハンドル１３に対して全て行なう。
【００３６】
これにより、扉６は押圧ガイド傾斜部５２の傾斜部の高さ方向の距離分だけ扉枠７の中に引き込まれ、図４（Ａ）、図５（Ａ）から図４（Ｂ）、図５（Ｂ）（まだ押圧付加手段２３は操作されていない）の状態になる。
即ち、図４（Ａ）、図５（Ａ）の状態で、扉６の左右端部と上端部の第２表面５で押圧されていた扉枠７の第１嵌合溝部９に取り付けられたシールパッキン１０は、押圧ガイド傾斜部５２の傾斜部の高さ方向の距離分だけ更に押圧されて図４（Ｂ）、図５（Ｂ）（まだ押圧付加手段２３は操作されていない）の状態になり、扉６の第２表面５とシールパッキン１０の密着性はさらにアップする。
このとき、ヒンジ部材８の中では、ヒンジ部材８をそれぞれ構成する扉枠７に取り付けられた第１ヒンジ３７の回動軸３５に装着されたボールベアリング３９が、扉６に取り付けられた第２ヒンジ４１の長円状の支持孔４０の第１支持端部４３から第２支持端部４４に押圧ガイド傾斜部５２の傾斜部の高さ方向の距離分だけ移動する。
【００３７】
そして、図５（Ｂ）の押圧付加手段２３がまだ操作されていない状態から、延伸押圧軸２１は、足踏式ロックバー２２を所定の位置から足踏みすると、足踏式ロックバー２２が支点５３を中心に回動し、延伸押圧軸２１の軸を押し出して床面１７、扉６の下端及び扉枠７の第１嵌合溝部９に取り付けられたシールパッキン１０と当接した第１弾性部材１８に所定の負荷をかけた状態で固定する。
これにより、扉構造体１は、一段上の防水対策を取ることができる。
押圧付加手段２３は、第１弾性部材１８を単独で押圧することができるので、第１弾性部材１８の弾性力を変更したり、延伸押圧軸２１の延伸のストロークや位置を変更したりして、防水のための第１弾性部材１８の押圧力を最適のものにすることができる。
また、機構として、押圧付加手段２３の全体を扉６の上下方向に移動可能にすることにより、第１弾性部材１８が床面１７と当接したときの押圧力を調整した後に固定できるようにしてもよい。
【００３８】
次に、図７、図８に基づいて、一段上の防水機能に固定された扉構造体１の解除方法を説明する。
ここで、図７（A）は、ロックハンドル１３により扉６が扉枠７内に更に引き込まれている状態の扉構造体１を上方から見た部分断面透視図、図７（B）は、図７（A）の状態からロック解除ハンドル１６により、扉６が扉枠７内から押し出され、通常使用の位置に戻った状態の扉構造体１を上方から見た部分断面透視図である。
又、図８（A）は、ロックハンドル１３により扉６が扉枠７内に更に引き込まれている状態に加え、押圧付加手段２３が操作されている状態の扉構造体１を側面から見た部分断面透視図、図８（B）は、図８（A）の状態からロック解除ハンドル１６により、扉６が扉枠７内から押し出され、通常使用の位置に戻った状態に加え、押圧付加手段２３が解除された状態の扉構造体１を側面から見た部分断面透視図である。
【００３９】
先ず、図７、図８に基づいて、ロックハンドル１３によって一段上の防水機能に固定された扉構造体１のロックを解除する部材の構成を説明する。
一段上の防水機能に固定された扉構造体１のロックを解除する部材としては、扉６のヒンジ部材８側の第２表面５にネジ（図示せず）で固着された二つのロック解除傾斜部材１４と、ヒンジ部材８側の扉枠７の側面に３本の第５ネジ５８によって固着されるとともに先端にロック解除傾斜部材１４と当接して摺動する第２作用部１５を設けて扉６を扉枠７内から押出す二つのロック解除ハンドル１６である。
【００４０】
続いて、ロックハンドル１３によって一段上の防水機能に固定された扉構造体１のロックを解除する工程を説明する。
先ず、押圧付加手段２３によって、床面１７、扉６の下端及び扉枠７の第１嵌合溝部９に取り付けられたシールパッキン１０と当接して固定されている第１弾性部材１８の解除を行う。
そのために、押圧付加手段２３の足踏式ロックバー２２を足踏みして足を外すと、床面１７、扉６の下端及び扉枠７の第１嵌合溝部９に取り付けられたシールパッキン１０と当接している第１弾性部材１８に所定の負荷をかけている状態の固定がはずれ、延伸押圧軸２１の軸が元に戻り、足踏式ロックバー２２が所定の位置に戻る。
【００４１】
その後、扉６の第２表面５に第１作用部１２を有して固着されているロックハンドル１３と扉枠７の側面に固着されているガイド溝部材１１との組合せによる８カ所のロックをロックハンドル１３を操作して解除する。
このとき、ヒンジ部材８の中では、第２ヒンジ４１に設けられた弾性部材装着孔４５に装着された第２弾性部材４６の押圧力により、ヒンジ部材８をそれぞれ構成する扉枠７に取り付けられた第１ヒンジ３７の回動軸３５に装着されたボールベアリング３９が、扉６に取り付けられた第２ヒンジ４１の長円状の支持孔４０の第２支持端部４４から第１支持端部４３側に戻ろうとする。
【００４２】
しかしながら、扉枠７に取り付けられた第１ヒンジ３７の回動軸３５に装着されたボールベアリング３９を、扉６に取り付けられた第２ヒンジ４１の長円状の支持孔４０の第２支持端部４４から第１支持端部４３側へ確実に戻すために、前述の二つのロック解除ハンドル１６を使用する。
【００４３】
先ず、扉枠７の側面に第５ネジ５８によって固着されたロック解除ハンドル１６の第２作用部１５を、扉６の第２表面５に固着されたロック解除傾斜部材１４に合わせ、ロック解除傾斜部材１４の傾斜部に摺動させ、ロック解除傾斜部材１４の頂点まで摺動する。
これにより、扉６は、ロック解除傾斜部材１４の傾斜部の高さ方向の距離分だけ扉枠７の外側に移動する。尚、押圧ガイド傾斜部５２の傾斜部の高さ方向の距離とロック解除傾斜部材１４の傾斜部の高さ方向の距離は同一である。
このとき、ヒンジ部材８の中では、ロック解除ハンドル１６の強制力と第２ヒンジ４１に設けられた弾性部材装着孔４５に装着された第２弾性部材４６の押圧力とにより、ヒンジ部材８をそれぞれ構成する扉枠７に取り付けられた第１ヒンジ３７の回動軸３５に装着されたボールベアリング３９が、扉６に取り付けられた第２ヒンジ４１の長円状の支持孔４０の第２支持端部４４から第１支持端部４３側に戻り、通常の扉６として使用できる状態に戻る。
このようにして、ロックハンドル１３によって一段上の防水機能に固定された扉構造体１のロックは解除される。
【００４４】
次に、図９に基づいて、扉構造体１に附随する緊急時に使用する脱出用扉２５について説明する。
扉６には、扉中央より上部に、大人の人間が脱出できる開口部５９が設けられており、開口部５９には、二つの脱出扉用ヒンジ部材２４を介して脱出用扉２５が開閉可能に取付けられている。
又、扉６の開口部５９の周囲には、第２表面５側に向けて一本の第２嵌合溝部６０が形成され、一本の脱出扉用シールパッキン２７が取り付けられている。
脱出用扉２５には、脱出扉用ハンドル２６が脱出扉用ヒンジ部材２４と対向する扉６の第２表面５側の位置に取り付けられ、脱出扉用ハンドル２６によって脱出扉用ヒンジ部材２４を介して扉６の第１表面３側に開くことができる。
脱出用扉２５を閉じてロックするには、脱出扉用ハンドル２６を扉６の第２表面５側に引き、脱出用扉２５の一段下がった表面を扉６の開口部５９の周囲に設けられた第２嵌合溝部６０に取付けられている脱出扉用シールパッキン２７に当接させるとともに、脱出扉用ハンドル２６の先端に設けられた第３作用部２８を扉６の第２表面５に取付けられたロック受け部材２９に当接し、ロック受け部材２９に設けられたロック受け傾斜部３０に第３作用部２８を摺動させることにより、脱出用扉２５を完全に閉じてロックすることができる。
そして、ロック受け傾斜部３０の傾斜部の高さの距離は、脱出扉用シールパッキン２７を押圧して撓ませ、密閉度を上げる距離になる。
【００４５】
又、扉６の開口部５９に取り付けられた脱出用扉２５にはドアスコープ３１が取付けられている。
これにより、外部の様子を確認することができるので内部いる自分達がどのような状況おかれているかが分かる。
又、扉６が開けられない状況で、脱出用扉２５の開扉操作を安全におこなうことができるかどうかを、脱出用扉２５に設けられているドアスコープ３１で外部を見れば確実に分かる。
【００４６】
又、脱出用扉２５の近傍には、脱出用扉２５を使用するときに使用する避難梯子３２が扉６の第２表面５に取付けられている。
脱出用扉２５は、扉６の外側が浸水したり、土砂で埋まった場合を考慮して比較的扉の高い位に設けられている。
そのために、脱出用扉２５を使用する場合は踏台や梯子が必要になるが、そのときのために扉６に避難梯子３２を備えておくことにより、緊急時に踏台や梯子を探す必要を無くし、問題なく脱出用扉２５から脱出することができる。
更に、避難梯子３２を折畳式にして使用しないときは折り畳んで掛け金６１をかけておくことにより、避難梯子３２がばらけることもなく占めるスペースを最小にして、扉の開閉に支障をきたすことが無いようにすることができる。
又、避難梯子３２を開いたとき、避難梯子３２の側面の片側は扉に固定されており、もう片側は床に当接するようにしているので安定した使用状態にすることができる。
【００４７】
又、扉６の第１表面３側が浸水したときに、浸水の量を知るための水位計３３が扉６の第２表面５に取付けられていると共に、扉６の第１表面３の下方に水位計取水口３４、上方に水位計排気口３６がパイプ形状で取付けられている。
これにより、扉の外側が水没した場合、その水没の深さを知ることができるとともに前述の脱出扉からの脱出の目安にすることもできる。
クリーニングのために、取り外しはできるが扉６の第２表面５側の気密は保たれている。
【００４８】
以上説明したように、本考案の実施形態に係る扉構造体１によれば、床面１７に対応して開放部が形成された扉枠７と、扉枠７に対して開閉可能に支持される扉６と、開放部以外の扉枠７の周囲に取り付けられたシールパッキン１０と、扉枠７に対して扉６を閉塞した状態で、扉６を扉枠７側に移動させるとともに扉６の周囲をシールパッキン１０に押圧する移動押圧手段と、扉６の下部に取り付けられた第１弾性部材１８と、第１弾性部材１８を扉枠７の開放部を介して床面１７に押圧する押圧付加手段２３とを備えた構成になっている。
【００４９】
この構成によれば、防水のためのシールパッキン１０を取り付けた扉枠７を床面１７から無くすことができる。
そのため、防水のためのシールパッキン１０を取り付けた扉枠７が床面１７にあるために人が室内に出入りする際に躓くという問題を無くすことができる。
更に、台車や車椅子の室内への出入りには傾斜板等の踏み板をその都度設置しなければならないという問題も無くすことができる。
【００５０】
又、扉６は扉枠７の中で通常の使用状態から後方に移動するのであるが、扉６の下部に取り付けられた第１弾性部材１８が扉６と一緒に移動するので、通常に扉を閉めた時でも、又、移動押圧手段によって扉６を扉枠７の中に押圧した時でも、押圧付加手段２３によって第１弾性部材１８を扉枠７の開放部を介して床面１７に押圧するようにしているのでどちらも防水効果を損なうことなく防水することができる。
【００５１】
次に、扉構造体１によれば、扉枠７の床面１７には、床面１７と同一の高さとなる床面用枠部材５７が埋め込まれている。
これにより、床面１７にタイル等の外装部材が張られることによって、表面に凹凸や隙間が発生することを予め予測できる場合には、扉枠７の床面１７に床面１７と同一の高さとなる床面用枠部材５７を埋め込んで床面１７の代替をさせることにより、第１弾性部材１８と床面１７の密着性を阻害する要因を取り除くことができる。
【００５２】
次に、扉構造体１によれば、扉６の背面には、ドアスコープ３１を備えた脱出用扉２５が開閉可能に支持されている。
これにより、扉６の外側が浸水したり、土砂で埋まって扉が開かない状態のときに、ドアスコープ３１で外側の状況を確認することができ、安全が確認できたら脱出用扉２５から外側に脱出することができる。
【００５３】
次に、扉構造体１によれば、扉６の背面には、脱出用扉２５に隣接して折畳可能な避難梯子３２が設けられている。
脱出用扉２５は、扉６の外側が浸水したり、土砂で埋まった場合を考慮して比較的扉６の高い位に設けられている。
そのために、脱出用扉２５を使用する場合は踏台や梯子が必要になるが、そのときのために扉６に避難梯子３２を備えておくことにより、緊急時に踏台や梯子を探す必要を無くし、問題なく脱出用扉２５から脱出することができる。
更に、避難梯子３２を折畳式にして避難梯子３２が占めるスペースを最小にすることにより、扉６の開閉に支障をきたすことを無くすことができる。
又、避難梯子３２を開いたとき、避難梯子３２の側面の片側は扉６に固定されており、もう片側は床面１７に当接するようにしているので安定した使用状態にすることができる。
【００５４】
そして、扉構造体１によれば、扉６の背面には、扉６の正面側における水位を計測する水位計３３が取付けられている。
これにより、扉６の外側が水没した場合、その水没の深さを知ることができるとともに前述の脱出用扉２５からの脱出の目安にすることもできる。
【００５５】
尚、本考案は前記実施形態に限定されるものではなく、本考案の要旨を逸脱しない範囲内で種々の改良、変形が可能であることは勿論である。
【符号の説明】
【００５６】
１          扉構造体
６          扉
７          扉枠
８          ヒンジ部材
１０        シールパッキン
１７        床面
１８        第１弾性部材
１９        押圧板
２０        押圧板取付部
２１        延伸押圧軸
２２        足踏式ロックバー
２３        押圧付加手段
２５        脱出用扉
３１        ドアスコープ
３２        避難梯子
３３        水位計
５７        床面用枠部材
【図１】
0003180772.tif 000003
【図２】
0003180772.tif 000004
【図３】
0003180772.tif 000005
【図４】
0003180772.tif 000006
【図５】
0003180772.tif 000007
【図６】
0003180772.tif 000008
【図７】
0003180772.tif 000009
【図８】
0003180772.tif 000010
【図９】
0003180772.tif 000011
【図１０】
0003180772.tif 000012